【手続補正書】
【提出日】平成27年3月27日(2015.3.27)
【手続補正１】
【補正対象書類名】特許請求の範囲
【補正対象項目名】全文
【補正方法】変更
【補正の内容】
【特許請求の範囲】
【請求項１】
二価酸成分；全体ジオール成分に対して１ないし６０モル％のイソソルバイドを含むジオール成分；および全体樹脂重合反応物に対して１ないし５０重量％の乳酸またはその由来化合物が共重合されて、
前記二価酸成分から誘導された二価酸部分、前記ジオール成分から誘導されたジオール部分、および前記乳酸またはその由来化合物から誘導されたヒドロキシ一酸部分が繰り返される構造を有することを特徴とするコーティング用ポリエステル樹脂バインダー。
【請求項２】
全体樹脂重合反応物に対して、前記イソソルバイドと乳酸またはその由来化合物を含むバイオマス原料成分の含有量が、５ないし７０重量％であり、前記二価酸成分およびジオール成分からなる石油資源由来化合物の含有量が、３０ないし９５重量％であることを特徴とする請求項１に記載のコーティング用ポリエステル樹脂バインダー。
【請求項３】
前記乳酸またはその由来化合物が、Ｄ−乳酸、Ｌ−乳酸、Ｄ−ラクチドおよびＬ−ラクチドからなる群から選択されることを特徴とする請求項１に記載のコーティング用ポリエステル樹脂バインダー。
【請求項４】
前記ポリエステル樹脂が、全体反応物に対して０ないし１０モル％の三価酸および／または三価アルコール成分が共重合されていることを特徴とする請求項１に記載のコーティング用ポリエステル樹脂バインダー。
【請求項５】
前記ジオール成分が、エチレングリコール、ジエチレングリコール、トリエチレングリコール、プロパンジオール（１，２−プロパンジオール、１，３−プロパンジオールなど）、１，４−ブタンジオール、ペンタンジオール、ヘキサンジオール（１，６−ヘキサンジオールなど）、ネオペンチルグリコール（２，２−ジメチル−１，３−プロパンジオール）、１，２−シクロヘキサンジオール、１，４−シクロヘキサンジオール、１，２−シクロヘキサンジメタノール、１，３−シクロヘキサンジメタノール、１，４−シクロヘキサンジメタノール、テトラメチルシクロブタンジオール、およびこれらの混合物からなる群から選択されたグリコール４０ないし９９モル％を含むことを特徴とする請求項１に記載のコーティング用ポリエステル樹脂バインダー。
【請求項６】
前記ポリエステル樹脂の数平均分子量（Ｍｎ）が、２，０００ないし２０，０００であり、水酸基価が、２ないし６０ｍｇＫＯＨ／ｇであり、酸価が、０．１ないし２０ｍｇＫＯＨ／ｇであり、ガラス転移温度（Ｔｇ）が、１０ないし１５０℃であることを特徴とする請求項１に記載のコーティング用ポリエステル樹脂バインダー。
【請求項７】
請求項１ないし請求項６のうちのいずれか１項によるコーティング用ポリエステル樹脂バインダー１０ないし６０重量％；および
残り含有量の有機溶媒を含むことを特徴とするコーティング組成物。
【請求項８】
前記有機溶媒が、芳香族炭化水素系、グリコールエステル系、グリコールエーテル系、ケトン系、アルコール系溶媒およびこれらの混合物からなる群から選択されることを特徴とする請求項７に記載のコーティング組成物。
【請求項９】
３ないし１３重量％の架橋剤、０．１ないし１．５重量％の硬化触媒、０．３ないし１０重量％のスリップ性添加剤、０．５ないし１．０重量％のレベリング剤、０．５ないし１．０重量％の消泡剤、および０ないし４０重量％の顔料をさらに含むことを特徴とする請求項７に記載のコーティング組成物。
【手続補正２】
【補正対象書類名】明細書
【補正対象項目名】発明の名称
【補正方法】変更
【補正の内容】
【発明の名称】コーティング用ポリエステル樹脂バインダーおよびこれを含有するコーティング組成物
【手続補正３】
【補正対象書類名】明細書
【補正対象項目名】０００１
【補正方法】変更
【補正の内容】
【０００１】
本発明はコーティング用ポリエステル樹脂バインダーおよびこれを含有するコーティング組成物に関し、より詳しくは、乳酸またはその由来化合物とイソソルバイドが共重合されて、バイオマス由来化合物の含有量が高いだけでなく、塗膜硬度、耐汚染性、耐加水分解性、加工性などに優れたコーティング用ポリエステル樹脂バインダーおよびこれを含有するコーティング組成物に関する。
【手続補正４】
【補正対象書類名】明細書
【補正対象項目名】０００９
【補正方法】変更
【補正の内容】
【０００９】
従って、本発明の目的は、植物由来の環境循環型重合原料であるイソソルバイドと乳酸またはその由来化合物を使用して、バイオマス原料含有量が高く環境親和的なコーティング用ポリエステル樹脂バインダーおよびこれを含有するコーティング組成物を提供することにある。
【手続補正５】
【補正対象書類名】明細書
【補正対象項目名】００１０
【補正方法】変更
【補正の内容】
【００１０】
また、本発明の目的は、ガラス転移温度が高くて、塗膜硬度が優れるだけでなく、耐汚染性、耐加水分解性、加工性などに優れたコーティング用ポリエステル樹脂バインダーおよびこれを含有するコーティング組成物を提供することにある。
【手続補正６】
【補正対象書類名】明細書
【補正対象項目名】００１１
【補正方法】変更
【補正の内容】
【００１１】
また、本発明の他の目的は、缶内面、家電製品、建築用外装材などのコーティングに有用なポリエステル樹脂バインダーおよびこれを含有するコーティング組成物を提供することにある。
【手続補正７】
【補正対象書類名】明細書
【補正対象項目名】００１２
【補正方法】変更
【補正の内容】
【００１２】
前記目的を達成するために、本発明は、二価酸成分；全体ジオール成分に対して１ないし６０モル％のイソソルバイドを含むジオール成分；および全体樹脂重合反応物に対して１ないし５０重量％の乳酸またはその由来化合物が共重合されて、前記二価酸成分から誘導された二価酸部分、前記ジオール成分から誘導されたジオール部分および前記乳酸またはその由来化合物から誘導されたヒドロキシ一酸部分が繰り返される構造を有するコーティング用ポリエステル樹脂バインダーを提供する。また、本発明は、前記コーティング用ポリエステル樹脂バインダー１０ないし６０重量％；および残り含有量の有機溶媒を含むコーティング組成物を提供する。
【手続補正８】
【補正対象書類名】明細書
【補正対象項目名】００１３
【補正方法】変更
【補正の内容】
【００１３】
本発明によるポリエステル樹脂バインダーおよびコーティング組成物は、バイオマス由来化合物であるイソソルバイドと乳酸またはその由来化合物を同時に使用して製造するため、環境親和的であり、硬度、耐汚染性、耐加水分解性、加工性、および耐スクラッチ性などに優れた塗膜を形成することができるので、缶内面、家電製品、建築用外装材コーティングなど産業用コーティング用途に有用である。
【手続補正９】
【補正対象書類名】明細書
【補正対象項目名】００３６
【補正方法】変更
【補正の内容】
【００３６】
上記表４から判るように、本発明によるポリエステル樹脂バインダーおよびコーティング組成物は、バイオマス由来化合物であるイソソルバイドと乳酸またはその由来化合物を多量含み、かつ硬度、耐汚染性、耐加水分解性、加工性、耐スクラッチ性などに優れた塗膜を形成することができる。
【手続補正１０】
【補正対象書類名】明細書
【補正対象項目名】００３７
【補正方法】変更
【補正の内容】
【００３７】
本発明によるポリエステル樹脂バインダーおよびコーティング組成物は、缶内面、家電製品、建築用外装材コーティングなど産業用コーティング用途に有用である。